(57)【特許請求の範囲】
【請求項１】
棒状体により構成されるレールの上へ、下部に梁材が設けられたユニットルーム本体を載置する前又は載置した後に、前記ユニットルーム本体が収納される収納部の奥側に配置された奥側支持部材へ、前記レールの端部を載せる工程と、
前記レールを前記収納部の奥側へ傾斜することにより前記ユニットルーム本体を前記レールの上で前記収納部の奥側へスライドさせて、前記収納部の所定位置まで移動させる工程と、
を有するユニットルームの施工方法。
【請求項２】
前記レールの端部には高さ調整機構が備えられ、前記ユニットルーム本体を前記所定位置まで移動させた後、前記高さ調整機構を操作して前記レールを下げ、前記梁材を前記奥側支持部材及び前記収納部の手前側に配置された手前側支持部材へ設置して、前記ユニットルーム本体の下部から前記レールを撤去する工程を含む、請求項１に記載のユニットルームの施工方法。
【請求項３】
前記高さ調整機構は、前記レールに螺合して先端部が前記奥側支持部材へ当るボルトである、請求項２に記載のユニットルームの施工方法。
【請求項４】
前記梁材は、
前記ユニットルーム本体の下部に連結部材を介して連結された梁部と、
前記梁部の両端部に設けられ、上方へ立ち上がる立上部と、前記立上部から水平に張り出し前記奥側支持部材及び前記手前側支持部材へ設置される支持部と、を備えたブラケットと、
前記支持部へ螺合され前記奥側支持部材及び前記手前側支持部材へ当り、前記ユニットルーム本体のレベルを調整するレベル調整機構と、
を有する請求項２又は請求項３に記載のユニットルームの施工方法。
【発明の詳細な説明】
【技術分野】
【０００１】
本発明は、ユニットルームの施工方法に関する。
【背景技術】
【０００２】
ユニットルームを収納部に設置する場合、通常、クレーンでユニットルーム本体を吊下してユニットルーム収納部の支持部材にセットするが、クレーンを使えない住戸では、作業者がユニットルームを持ち上げて支持部材にセットすることになる（例えば、特許文献１参照）。
【先行技術文献】
【特許文献】
【０００３】
【特許文献１】特開２０００−１７９１７０号公報
【発明の概要】
【発明が解決しようとする課題】
【０００４】
しかし、一般に、収納部の奥側や側面側のスペースは狭く、作業者がユニットルーム本体を持ち上げて収納部に運び込み、支持部材に据え付ける作業を行うためには、無理な体勢で作業しなければならない。
【０００５】
本発明は、上記事実を考慮して、ユニットルーム本体を吊下せずに、容易にユニットルーム本体を収納部の支持部材に据え付けることができる施工方法を提供することを目的とする。
【課題を解決するための手段】
【０００６】
本発明の第１態様は、棒状体により構成されるレールの上へ、下部に梁材が設けられたユニットルーム本体を載置する前又は載置した後に、前記ユニットルーム本体が収納される収納部に配置された奥側支持部材へ、前記レールの端部を載せる工程と、前記レールを前記収納部の奥側へ傾斜することにより前記ユニットルーム本体を前記レールの上で前記収納部の奥側へスライドさせて、前記収納部の所定位置まで移動させる工程と、を有するユニットルームの施工方法である。
【０００７】
本発明の第１態様では、棒状体により構成されるレールの上へユニットルーム本体を載置し、次に、収納部の奥側に配置された奥側支持部材へ、レールを載せる。
または、収納部の奥側に配置された奥側支持部材へレールを載せ、次に、レールの上へユニットルーム本体を載置する。
【０００８】
次に、ユニットルーム本体をレールの上で奥側へスライドさせて収納部の所定位置まで移動させる。このとき、ユニットルームの荷重の一部は、レールを介して奥側支持部材に伝達されるので、収納部の奥側で作業者がユニットルームを支えている必要がない。このため、従来のユニットルームの施工方法で必要であった、ユニットルーム本体を支持部材に据え付けるための、無理な体勢での作業が不要となる。
したがって、容易にユニットルーム本体を収納部の支持部材に据え付けることができる。
【００１０】
本発明の第１態様では、レールを収納部の奥側へ傾斜させることで、軽い力でユニットルーム本体を押して、収納部の奥側へスライドさせることができる。
【００１１】
本発明の第２態様は、第１態様において、前記レールの端部には高さ調整機構が備えられ、前記ユニットルーム本体を前記所定位置まで移動させた後、前記高さ調整機構を操作して前記レールを下げ、前記梁材を前記奥側支持部材及び前記収納部の手前側に配置された手前側支持部材へ設置して、前記ユニットルーム本体の下部から前記レールを撤去する工程を含む、ユニットルームの施工方法である。
【００１２】
本発明の第２態様では、レールの端部に備えられた高さ調整機構を操作して前記レールを下げることで、梁材が奥側支持部材及び手前側支持部材へ設置される。このとき、レールはユニットルーム本体の荷重を負担しなくなるので、レールを下げることでユニットルーム本体とレールとの間に隙間が開き、ユニットルーム本体の下部からレールを引き抜くことができる。
【００１３】
本発明の第３態様は、第２態様において、前記高さ調整機構は、前記レールに螺合して先端部が前記奥側支持部材へ当るボルトである、ユニットルームの施工方法である。
【００１４】
本発明の第３態様では、ボルトを回してレールからの突出量を調整することで、レールの高さを容易に変えることができる。
【００１５】
本発明の第４態様は、第２態様または第３態様において、前記梁材は、前記ユニットルーム本体の下部に連結部材を介して連結された梁部と、前記梁部の両端部に設けられ、上方へ立ち上がる立上部と、前記立上部から水平に張り出し前記奥側支持部材及び前記手前側支持部材へ設置される支持部と、を備えたブラケットと、前記支持部へ螺合され前記奥側支持部材及び前記手前側支持部材へ当り、前記ユニットルーム本体のレベルを調整するレベル調整機構と、を有するユニットルームの施工方法である。
【００１６】
本発明の第４態様では、支持部にレベル調整機構が設けられているので、梁部を収納面の底面に近づけた位置で、容易にユニットルーム本体のレベルを調整することができる。
なお、本発明におけるレベルとは、基準となる位置、例えばスラブ面からの高さ及び傾きのことを示しており、レベルを調整するとは、調整される対象が所定の高さで水平に配置されるように高さ及び傾きを調整することを示す。
【００１７】
また、立上部から張り出した支持部が支持部材に設置されるので、梁部の位置が支持部材の支持位置よりも低くなり、ユニットルーム本体の据え付け高さが低くなる。これにより、ユニットルーム本体と居住空間との間の段差を抑制することができる。
【発明の効果】
【００１８】
本発明に係るユニットルームの施工方法によれば、ユニットルーム本体を吊下せずに、ユニットルーム本体を収納部に据えることができる。
【図面の簡単な説明】
【００１９】
【図１】本発明の第１実施形態におけるユニットルーム本体、レール、及び支持部材を示した分解斜視図である。
【図２】（Ａ）は本発明の第１実施形態におけるユニットルームの施工方法を示した側面模式図であり、（Ｂ）は本発明の第１実施形態におけるユニットルームの施工方法を示した側面模式図である。
【図３】本発明の第１実施形態におけるユニットルームの施工方法を示した側面模式図である。
【図４】本発明の第１実施形態におけるユニットルームの施工方法を示した側面模式図である。
【図５】本発明の第１実施形態におけるユニットルームの施工方法を示した側面模式図である。
【図６】本発明の第１実施形態におけるユニットルームの施工方法を示した側面模式図である。
【図７】本発明の第１実施形態におけるユニットルームの施工方法を示した側面模式図である。
【図８】本発明の第１実施形態におけるユニットルームの施工方法を示した側面模式図である。
【図９】本発明のその他の実施形態におけるユニットルームの施工方法を示した側面模式図である。
【発明を実施するための形態】
【００２０】
［第一実施形態］
（ユニットルーム）
以下、図面を参照しながら、第一実施形態のユニットルームの施工方法において施工されるユニットルーム１０について説明する。
なお、ユニットルームとは、予め成形された天井、床、壁などの複数のパネル等を組み立てて製作される浴室のことであり、洗い場を有するユニットシャワールーム、洗い場とバスタブを有するユニットバスルーム、洗い場とバスタブ、便器や洗面機器を有するユニットバスルーム等を含む概念である。
【００２１】
図１に示されるように、本実施形態におけるユニットルーム１０は、ユニットルーム本体１１と、横架材２０と、梁材３０と、連結部材４０と、を含んで構成される。
【００２２】
ユニットルーム本体１１は、少なくとも床パネルを含んで構成された部材であり、下部、すなわち床パネルの裏面側には後述する梁材３０が配置される。なお、本実施形態においては、ユニットルーム本体は洗い場の床パネルとバスタブを含んで構成されており、図１においては外形を２点鎖線で示している。
【００２３】
横架材２０は、鋼製のＣ型チャンネルであり、ユニットルーム本体１１の下部の奥側と手前側の２箇所に、短手方向（図１ではＹ方向）に配置されている。
横架材２０はユニットルーム本体１１の下面に固定されており、横架材２０の下面から下方向に突出する鋼棒で形成された連結部材４０に、梁材３０が連結されている。
【００２４】
横架材２０は、ユニットルーム本体１１、及びバスタブに溜められた水や入浴者などの荷重を、連結部材４０を介して梁材３０に伝達すると共に、これらの荷重によってユニットルーム本体１１の床面が撓んで変形することを防止するものである。
【００２５】
梁材３０は、ユニットルーム本体の荷重を、後述する奥側支持部材６１及び手前側支持部材６２に伝達する荷重伝達部材である。
また、梁材３０はユニットルーム本体１１の下部に長手方向に延設される梁部３１を備えている。梁部３１は、横架材２０と直交するように３列配置されている。また、梁部３１は、連結部材４０によって横架材２０と連結され、ユニットルーム１０との間には間隔が設けられている。
【００２６】
梁材３０の梁部３１の両端部には、ブラケット３２が設けられている。
ブラケット３２は、梁部３１から張り出して、梁部３１が受けるユニットルーム本体１１の荷重を、後述する奥側支持部材６１及び手前側支持部材６２に伝達する部分である。
ブラケット３２は、梁部３１から上方へ立ち上がる立上部３２ａと、立上部３２ａの上端部から水平方向に張り出した支持板３２ｂを含んで構成されている。
なお、支持板３２ｂは、本発明の支持部の一例である。
それぞれの支持板３２ｂには貫通孔が形成され、貫通孔の周縁部にはナット３２ｃが溶接されて、調整ねじ３３が螺合されている。
なお、調整ねじ３３は、本発明のレベル調整機構の一例である。
調整ねじ３３は、後述する奥側支持部材６１及び手前側支持部材６２に当接し、奥側支持部材６１及び手前側支持部材６２がユニットルーム本体１１の荷重を支持する。
調整ねじ３３は、３本の梁材３０それぞれの両端部のブラケット３２の支持板３２ｂに螺合されるので、６本でユニットルーム本体１１の荷重を支える。この調整ねじ３３を回転させることで、ユニットルーム本体１１のレベルが調整される。
【００２７】
（収納部）
次に、第一実施形態のユニットルームの施工方法においてユニットルーム１０が施工される収納部７０について説明する。
【００２８】
収納部７０は、建物の浴室部であり、入り口側を除いて、壁（壁７１、７２、７３）で囲まれている。
収納部７０の奥側と手前側にはそれぞれ、Ｈ形鋼の奥側支持部材６１と手前側支持部材６２とが配置されている。
【００２９】
奥側支持部材６１及び手前側支持部材６２は、ユニットルーム本体１１の荷重を支える土台である。梁部３１が奥側支持部材６１と手前側支持部材６２との間に沈み込んだ状態で、ブラケット３２に設けられた調整ねじ３３が奥側支持部材６１及び手前側支持部材６２のフランジに当り、ユニットルーム本体１１の荷重を、奥側支持部材６１と手前側支持部材６２が支持する。
【００３０】
（レール）
次に、第１実施形態のユニットルームの施工方法において使用されるレール５０について説明する。
【００３１】
レール５０は、棒状体により構成される部材で、ユニットルーム本体１１が載置された状態で両端部を持ち上げた際に、過剰な撓みや変形を生じない強度を有していることが望ましい。本実施形態においては鋼製のチャンネル材とされ、ユニットルーム本体１１の下部に２本設置される。
レール５０の板部５０ａの端部には貫通孔が形成され、貫通孔の周縁部にはナット５２が溶接されて、上方からボルト（高さ調整機構）５３が螺合可能とされている。
【００３２】
ボルト５３は、本実施形態では、Ｍ１６の鋼製のボルトとされ、ナット５２に螺合させて旋回させることで、レール５０の板部５０ａから下部に突き出す長さを調節できる。ボルト５３をナット５２に螺合した状態で、ボルト５３の先端部を、奥側支持部材６１のフランジに載せ、レンチなどの工具を用いて回転させると、レール５０の高さを上下方向に移動させることができる。
【００３３】
（施工方法）
次に、第一実施形態のユニットルームの施工方法について説明する。
【００３４】
まず、図２（Ａ）、（Ｂ）にそれぞれ示したように、横架材２０の下部に、レール５０を挿入する。
このとき、ユニットルーム本体１１の奥側（図２（Ａ）では左側）と手前側（図２（Ａ）では右側）にそれぞれ作業者が立ち、レール５０の両端を持ちあげ、収納部７０の中へユニットルーム本体１１を運び入れる。
【００３５】
このとき、レール５０の板部５０ａが横架材２０の板部２０ａと当接して、ユニットルーム本体１１が持ち上げられるため、ユニットルーム本体１１はレール５０から滑り落ちない。すなわち、レール５０の上に、ユニットルーム本体１１が載置される。
収納部７０の中へユニットルーム本体１１を運び入れた後、図３に示したように、レール５０の先端部のナット５２に螺合されたボルト５３の先端部を、奥側支持部材６１のフランジに載せる。
本実施形態においては、ボルト５３の先端部はレールから３０ｍｍ程度突出している。
【００３６】
次に、図４に示したように、梁部３１が手前側支持部材６２と接触しない高さまでレール５０の手前側を持ち上げ、収納部７０の奥側へ傾斜させた状態で、ユニットルーム本体１１を収納部７０の奥側へ押す。
このとき、レール５０の板部５０ａと、横架材２０の板部２０ａとが摺接して、ユニットルーム本体１１が収納部７０の奥側にスライドして所定位置（梁部３１が、奥側支持部材６１と手前側支持部材６２との間に配置される位置、あるいは、梁材３０の端部の支持板３２ｂに螺合された調整ねじ３３が、奥側支持部材６１と手前側支持部材６２の上部に配置される位置）まで移動する。
【００３７】
図５に示したように、梁材３０の支持板３２ｂ、及び調整ねじ３３が奥側支持部材６１、手前側支持部材６２の間に位置するまでユニットルーム本体１１をスライドさせた後、傾斜させていたレール５０を水平にする。このとき、梁部３１の両端長さＬ１は、奥側支持部材６１と手前側支持部材６２との内法長さＬ２よりも短く設定されており、梁部３１は奥側支持部材６１と手前側支持部材６２との間に落とし込まれる。
【００３８】
次いで、作業者がユニットルーム本体１１の内部から、レンチなどを用いてボルト５３を緩める方向に回転させると、レール５０の高さが下がり、レール５０に載置されたユニットルーム本体１１の高さも低くなる。
【００３９】
図６に示したように、ボルト５３を緩め続けると、梁材３０の支持板３２ｂに螺合された調整ねじ３３が奥側支持部材６１、手前側支持部材６２のフランジに当接し、調整ねじ３３を介して奥側支持部材６１と手前側支持部材６２がユニットルーム本体１１の荷重を支持する。
【００４０】
図７に示したように、さらにボルト５３を緩めると、レール５０は横架材２０から離れ、レール５０はユニットルーム本体１１の荷重を負担しなくなる。すなわち、梁材３０、及びユニットルーム本体１１が、奥側支持部材６１と手前側支持部材６２に設置される。
【００４１】
図８に示したように、更にボルト５３を緩め、ボルト５３をレール５０から取り外した後、レール５０を手前側に引き抜いて撤去する。
次いで、調整ねじ３３を回転させてユニットルーム本体１１のレベルを調整することで、ユニットルーム１０の設置作業が完了する。
【００４２】
（作用）
第１実施形態のユニットルームの施工方法は、上述したように構成されており、以下その作用について説明する。
【００４３】
第１実施形態のユニットルームの施工方法によれば、作業者がユニットルーム本体１１の奥側と手前側からユニットルーム本体を持ち上げることができるので、クレーンなどを使用することなく、ユニットルーム本体１１を手作業で運ぶことができる。
【００４４】
また、ユニットルーム本体１１をスライドさせて収納部７０の所定位置まで移動させることができるため、従来のユニットルームの施工方法で必要であった、無理な体勢での作業が不要になる。
【００４５】
また、レール５０を傾斜させてユニットルーム本体１１をスライドさせるため、軽い力でユニットルーム本体１１を収納部７０の奥側へスライドさせることができる。
【００４６】
また、ボルト５３を緩めるだけでレール５０の高さを下げることができるので、簡易な作業でユニットルーム本体１１の下部からレール５０を引き抜くことができる。
【００４７】
また、調整ねじ３３を回すだけで、容易にユニットルーム本体１１のレベルを調整することができる。
【００４８】
また、ユニットルーム本体１１と梁部３１との間には、間隔が設けられているため、ユニットルーム本体１１の直下から排水管を横引きすることができ、排水管の水勾配を確保することができる。
【００４９】
また、立上部３２ａの上端部から張り出した支持板３２ｂが奥側支持部材６１及び手前側支持部材６２に設置されるので、立上部３２ａの下方にある梁部３１の位置が相対的に低くなり、ユニットルーム本体１１の据え付け高さが低くなる。これにより、ユニットルーム本体１１と居住空間との間の段差を抑制することができる。
【００５０】
［他の実施形態］
本発明の実施形態は、上記に限定されるものでなく、上記以外にも、その主旨を逸脱しない範囲内において種々変形して実施可能であることは勿論である。
【００５１】
例えば、レール５０の先端部に螺合されたボルト５３を奥側支持部材６１のフランジに載せ、これを支点としてレール５０を傾斜させた状態でユニットルーム本体１１をスライドさせたが、必ずしもこれに限られない。
例えば、図９に示すように、レール５０の後端部（収納部７０の手前側）にも高さ調整用のボルト５３を設け、レール５０を奥側支持部材６１と手前側支持部材６２に架け渡し、水平に保った状態でユニットルーム本体１１をスライドさせてもよい。
このようにユニットルーム本体１１をスライドさせれば、ユニットルーム本体１１の設置位置を微調整することができる。
【００５２】
また、レール５０の上にユニットルーム本体１１を載置してからレール５０を奥側支持部材６１と手前側支持部材６２に架け渡すものとしたが、必ずしもこれに限られない。
例えば、レール５０を奥側支持部材６１と手前側支持部材６２に架け渡した後、ユニットルーム本体１１を載置してもよい。
【００５３】
また、レール５０は、第１実施形態のユニットルームの施工時、ユニットルーム本体１１の下部に３本設置されるものとしたがこれに限られない。
例えば大きなサイズのユニットルームや、重量の大きな部材で構成したユニットルームを施工する場合は、レール５０は４本以上設置してもよい。
逆に、小さなサイズのユニットルームや、重量の小さな部材で構成したユニットルームを施工する場合は、レール５０は２本でもよい。
また、レール５０は、鋼製のＣ型チャンネルとしたがこれに限られず、ユニットルーム本体１１を載置して滑らせることができる棒状の部材であればよい。例えば丸パイプなどでもよい。丸パイプであれば、横架材２０の板部２０ａと線接触するので、ユニットルーム本体１１を容易に滑らせることができる。
【００５４】
また、高さ調整機構はボルト５３としたがこれに限られず、レール５０の高さを変えることができるものであればよい。
例えば、油圧ジャッキなどでもよい。
【００５５】
また、梁材３０に設けられた調整ねじ３３を回してユニットルーム本体１１のレベルを調整するものとしたがこれに限られない。
例えば、奥側支持部材６１、手前側支持部材６２のフランジ面が同じ高さで水平となっていれば、調整ねじ３３を設けなくてもよい。
【００５６】
また、ユニットルーム本体１１の下部には横架材２０が延設されているものとしたが、ユニットルーム本体１１の底面の剛性が確保でき、ユニットルーム本体１１の荷重を梁材３０に伝達することができれば、横架材２０は設けなくてもよい。
例えば、ユニットルーム本体１１の底面に、ユニットルーム本体１１の床材と一体に成形されたリブが構成されているものであってもよい。
このように横架材２０を設けなければ、ユニットルーム１０の構造を簡易なものとすることができる。
【００５７】
また、梁材３０は横架材２０との間に連結部材４０を介して間隔を開けて連結されているものとしたが、レール５０を引き抜くことができれば、必ずしも間隔を開ける必要はない。
例えば横架材２０と梁材３０の梁部３１を、連結部材４０を介さずに直接連結してもよい。
このように連結部材４０を設けなければ、ユニットルーム１０の構造を簡易なものとすることができる。
【００５８】
また、奥側支持部材６１及び手前側支持部材６２は、Ｈ形鋼で形成されているものとしたがこれに限られず、コンクリート製や、樹脂製などの土台であってもよい。また、床スラブに配置されるものであってもよいし、建物の梁であってもよい。あるいは、梁と梁の間に架け渡された小梁等であってもよい。このようにして、本発明のユニットルーム施工方法は、様々な構造種別の建物に適用可能である。  
【００５９】
また、ユニットルーム本体１１は、内部にバスタブと洗い場の床パネルを含んで構成されているものとしたが、洗面台やトイレなどを含んで構成されるものでもよく、またバスタブを備えないものでもよく、洗い場の床パネルを備えたものであればよい。
【符号の説明】
【００６０】
１０ユニットルーム、  １１ユニットルーム本体、  ３０梁材、  ３１梁部、  ３２ブラケット、  ３２ａ立上部、  ３２ｂ支持板（支持部）、  ３３調整ねじ（レベル調整機構）、  ４０連結部材、  ５０レール、  ５３ボルト（高さ調整機構）、  ６１奥側支持部材、  ６２手前側支持部材  ７０収納部
【図１】
0006518490.tif 000002
【図２】
0006518490.tif 000003
【図３】
0006518490.tif 000004
【図４】
0006518490.tif 000005
【図５】
0006518490.tif 000006
【図６】
0006518490.tif 000007
【図７】
0006518490.tif 000008
【図８】
0006518490.tif 000009
【図９】
0006518490.tif 000010